(57)【要約】【課題】シリンジ載置部を移動させずにシリンジ載置面を開閉しうる走査型シリンジ載置台を実現する。また、箱内の清掃が楽に行えるようにし、横幅を狭くする。【解決手段】シリンジ載置面１７やイメージスキャナ１９を具備した本体部４１を固定したまま蓋部４２を移動させることでシリンジ載置面１７を開閉する。また、過負荷時には蓋部移動機構５０を本体部側部分５１と蓋部側部分５２とに分離させることで、過大な衝撃を回避するとともに、内部清掃を容易にする。さらに、蓋部移動機構５０を下側の本体部４１と上側の蓋部４２との境目に寄せて上下に配置して、箱体の横幅を縮小する。【選択図】        図１
2016047145.tif 000002
【特許請求の範囲】
【請求項１】
上面にシリンジ載置面を有する下側の本体部と前記シリンジ載置面を遮光しうる上側の蓋部とからなる箱体と、前記本体部の中で走査するイメージスキャナにて前記シリンジ載置面の上の計量対象シリンジを撮る撮像手段と、前記本体部に設けられた駆動部と、その駆動力を前記蓋部に伝達して前記蓋部を移動させることで前記シリンジ載置面の開閉を行う蓋部移動機構とを備えた走査型シリンジ載置台。
【請求項２】
前記蓋部移動機構が過負荷時には前記本体部の側の部分と前記蓋部の側の部分とに分離するようになっていることを特徴とする請求項１記載の走査型シリンジ載置台。
【請求項３】
前記蓋部移動機構のうち前記本体部の側の部分が前記本体部の上面側に配設され、前記蓋部移動機構のうち前記蓋部の側の部分が前記蓋部の下面側に配設されていることを特徴とする請求項１又は請求項２に記載された走査型シリンジ載置台。
【請求項４】
前記シリンジ載置面を上から照らす透過用照明具が前記本体部の上面側に設けられていることを特徴とする請求項１乃至請求項３の何れかに記載された走査型シリンジ載置台。
【請求項５】
請求項１〜４のうち何れか一項に記載された走査型シリンジ載置台と、前記撮像手段で得た撮影画像からシリンジの目盛画像を検出する画像認識手段と、前記画像認識手段で検出した目盛画像に基づいてシリンジ内の液量の推定値を算出する液量算出手段とを備えたシリンジ計量システムであって、計量対象のシリンジに係る既知情報をデータ保持していて、その情報に基づいて前記蓋部移動機構による前記蓋部の移動長を可変するようになっていることを特徴とするシリンジ計量システム。
【発明の詳細な説明】
【技術分野】
【０００１】
この発明は、注射針の付いている又は注射針の付いていないシリンジ（注射筒）に収容されている液量を計測するシリンジ計量システムに組み込まれる走査型シリンジ載置台に関し、詳しくは、シリンジ外観の撮影と画像処理にて液量を算出するシリンジ計量システムに組み込まれてシリンジ外観の撮影を担う走査型シリンジ載置台に関する。
そのような走査型シリンジ載置台を組み込んだシリンジ計量システムにも関する。
【背景技術】
【０００２】
［従来技術］
注射薬やそれと混合される希釈液といった水剤の入っているバイアルやボトルといった供給容器から水剤を抜き取るときや、抜き取った水剤を他の水剤や固形の被溶解剤との混合のために支給容器に注入するとき、シリンジに注射針を装着した注射器が多用される。そのような注射薬を混合する混注作業は、水剤の抜取も注入も、基本的に手動であり、薬剤師や看護師といった調剤者が人手でシリンジや容器を操作することで、行われている。その際、水剤抜取量や水剤注入量も、基本的には人手に依存しており、調剤者がシリンジの目盛を読み取ることで、行われている。
【０００３】
このような混注作業は、調剤室や安全キャビネット等の固定設備内で薬剤師が行うだけでなく、看護師が病棟や病室を渡り歩きながら各所で行うことも多く、作業場が固定している場合は、電子天秤での重量測定や追従昇降式の撮像装置での液面検出により、シリンジの目盛の目視読取に勝る客観的な液量計測を行うことができるが、作業場が固定しておらず作業の合間に移動したり移動の合間に作業するような状況では、持ち運びに適さない電子天秤や昇降装置は使用しづらく、病室等での混注作業では計量システムによる十分な支援を受けることができない。そこで、シリンジにはプランジャ（押子）が嵌め込まれており更にプランジャ先端にはシリンジの目盛より幅厚で目立つパッキン（密封部材）が装着されているというシリンジ構造に着目して計量手法を工夫することにより、電子天秤や昇降装置が無くて携帯も容易なシリンジ計量システムが開発されている。
【０００４】
具体的には（特許文献１参照）、計量対象のシリンジを計量時に載せて置く載置台と、前記載置台の載置面の上のシリンジをその周囲も含めて撮る撮像装置と、前記撮像装置で得た撮影画像からシリンジの目盛画像を検出するとともに検出した目盛画像が等間隔で並んでいる目盛連続部分と該間隔より広い範囲で目盛画像が抜け落ちている目盛抜落部分とを区分けする画像認識手段と、前記目盛連続部分のうち前記目盛抜落部分よりシリンジの針装着側に位置する目盛連続部分に属する目盛画像の数に基づいてシリンジ内の液量の推定値を算出する液量算出手段とを備えているシリンジ計量システムが開発された。
【０００５】
このシリンジ計量システムでは、照明装置の横向き拡散性発光面と一括型の横向き撮像装置との対向間隙内にシリンジを載置して画像を取得するようになっている。
また、シリンジの誤用を防止するために、目盛の間隔をデータ照合してシリンジの適否を判別するようになっている。さらに、液量の誤推定を防止するために、目盛抜落部分やプランジャ側の目盛連続部分に属する目盛画像の数をデータ照合して、針装着側の目盛連続部分に属する目盛画像の数から算出した値の適否を判別するようになっている。
そして、このようなシリンジ計量システムを使用することにより、病室等でも混注作業が気軽に行えて更には個人差の少ない的確な混注結果が得られるようになった。
【０００６】
［未公開先行技術Ａ］
しかしながら、このようなシリンジ計量システムでは、目盛が想定以上に細かいシリンジや，目盛の刻みピッチが同等で径が異なるシリンジには，目盛の画像がぼけたり歪んだりして使いづらい、ということが判明したため、上述した一括撮像方式の現行品を改良した走査型のシリンジ計量システムが試作された。
具体的には（特許文献２参照）、計量対象のシリンジを計量時に載せて置く載置台と、前記載置台の載置面の上のシリンジをその周囲も含めて撮る撮像装置と、前記撮像装置で得た撮影画像からシリンジの目盛画像を検出する画像認識手段と、前記画像認識手段で検出した目盛画像に基づいてシリンジ内の液量の推定値を算出する液量算出手段とを備えたシリンジ計量システムであって、前記載置面が透明部材の上面からなり、前記撮像装置が前記透明部材の下で走査するイメージスキャナになっている。
【０００７】
このようなシリンジ計量システムにあっては、撮像がイメージスキャナによって行われるので、電子天秤や昇降機構の追従制御といった複雑なものが不要で、小型のイメージスキャナを採用すれば携帯も容易なシステムになる。しかも、イメージスキャナが載置面を下から透かして上のシリンジを撮るようにしたことにより、シリンジの載置は目盛を上向きでなく下向きにした姿勢で行われるが、その載置状態ではシリンジの径に依らず何時でも目盛が載置面の直ぐ上に位置するため、一般にイメージセンサは焦点深度が深いうえ撮影画像の全域で撮影方向が揃うものであることと相まって、目盛画像は暈け（ボケ）も歪み（ユガミ）も少なくなるので、特に歪みが激減するので、細かな目盛画像まで抽出可能になる。そのため、細かな目盛のシリンジにも手軽に使う行うことができる。
【０００８】
［未公開先行技術Ｂ］
そして、上述した改良によって適用範囲の広がった試作品をいろいろな状況で使用して試してみると、使用の状況や態様等によっては更なる改良が求められることとなった。
特に、撮影用照明を内蔵したイメージスキャナを載置台に組み込んで載置台を走査型シリンジ載置台にしたうえで、眩光や外乱光の影響を抑制するべくイメージスキャナをシリンジ出入口付き箱体の中に収めた場合、そのことに起因して、幾つかの状況下で、更なる改良が求められることとなった。
【０００９】
具体的には、先ず、調剤者が素手又はケモグローブで薬剤に直に接触するといった不所望な薬剤被ばく（薬剤被曝・薬剤被爆）を避けるべき謂わば被ばく忌避薬剤の典型例として抗癌剤が挙げられるが、そのような被ばく忌避薬剤の調剤作業は清浄空気で換気されるクリーンベンチや更に陰圧陽圧の制御まで可能な安全キャビネットといった比較的小さなキャビネット内で行われることが多く、キャビネット内は作業時に清浄空気で換気され作業後に清掃されるうえ、調剤者は小形キャビネット内に必要最小限の物しか持ち込まず更にキャビネット内の物に触れないよう気を遣っているという状況の下で、走査型シリンジ載置台が使用される場合が挙げられる。
【００１０】
走査型シリンジ載置台を組み込んだシリンジ計量システムで、シリンジの液量を計測する場合、シリンジ出入口から箱体の中へシリンジを出し入れしなければならないが、箱体が遮光のため不透明になっていることから、箱体の中のシリンジ載置面の状態や、そこへ置かれるシリンジ先端部の状態、さらには両者の接触状態などが、目視で確認しづらいので、シリンジ載置面の上などに少量の薬剤が零れたとしても、さらにはそれが気流等で運ばれてキャビネット内の壁や機材等に付着したとしても、気付き難い。
そこで、箱体へのシリンジ出入時に薬剤が零れ難いうえシリンジ載置面が目視確認でき更に接触が少なくて済むように、改良が加えられた。
【００１１】
具体的には（特許文献３参照）、シリンジ出入口が形成されている箱体と、上面が計量対象のシリンジの載置面になっている透明部材と、前記透明部材の下で走査するイメージスキャナにて前記透明部材の上のシリンジを撮る撮像手段とを備えた走査型シリンジ載置台であって、前記箱体の外の被検出物を非接触で検出する近接センサと、前記近接センサの検出に応じて又は外部からの指令に応じて前記イメージスキャナ及び前記透明部材を前記シリンジ出入口経由で前記箱体から進退させるシリンジ載置部進退機構とが設けられている、という走査型シリンジ載置台になっている。
【先行技術文献】
【特許文献】
【００１２】
【特許文献１】特開２０１３−２５２１６１号公報
【特許文献２】特願２０１３−１５５５５５号
【特許文献３】特願２０１４−１１６３６２号
【発明の概要】
【発明が解決しようとする課題】
【００１３】
そして、上述した改良の積み重ねによって適用範囲が広がるとともに箱体へのシリンジ出入時に薬剤が零れ難くなった試作品を使用して試してみると、再び更なる改良が求められることとなった。すなわち、測定精度向上のため撮像手段にイメージスキャナを採用するとともに遮光用の箱体を設けたうえで、計量対象のシリンジを人手で載せ置いたり取り上げたりするのはメージスキャナ等のシリンジ載置部を箱体から進出させた状態で行うようにしたことにより、シリンジの載置・取上時の薬剤の零れは抑えられるようになったのであるが、シリンジの載置・取上時だけでなく撮像時も含めて常にシリンジ載置面を静止状態で解放しているもの（例えば特許文献１参照）と比べると、それには僅かに及ばない可能性のあることが判明した。具体的には、イメージスキャナを含むシリンジ載置部がシリンジを載せて箱体から進退するとき、自動動作なので人手での載置・取上に比べれば僅かではあるが、シリンジから薬剤の零れるおそれが存在するのである。
【００１４】
更に詳述すると、シリンジ載置面を開閉するためにシリンジ載置部を移動させたとき、シリンジ載置部にシリンジが載っていると、シリンジ載置部の振動によってシリンジに加振力が作用するうえ、始動時や停止時には加速や減速の力がシリンジに作用するが、それらの力がプランジャ挿着部側から注射針装着部側へ向かって作用したときにシリンジの注射針装着部からシリンジ内の薬剤が零れ出て、不所望な薬剤の液だれを生じる可能性がある。また、シリンジが振動すると、その振動が治まるまで撮像や画像処理を待つ必要があり、迅速な計量の観点からも好ましくない。
そこで、シリンジ載置部を移動させずにシリンジ載置面を開閉しうる走査型シリンジ載置台を実現することが第１課題となる。
【００１５】
また、シリンジ載置部を進退させる機構などに動作不良が発生すると、シリンジ載置部の揺れが激しくなって、液だれの可能性が高まるため、上述した先行改良では、シリンジ載置部の進退に支障が生じて駆動負荷が過大になったときは、シリンジ載置部進退機構の伝動部が伝動を断つことで、シリンジ載置部が無理に動くのを回避するようにもなったが、薬剤の液だれが発生してしまった場合には、それを拭き取る清掃作業が欠かせないところ、シリンジ載置面などはシリンジ載置部を箱体から進出させることで比較的容易に清掃することができるが、箱体の内部は、露出容易な構造でないため、薬剤が揮発して飛んできたり、薬剤で汚染した空気が触れたりして、薬剤が付着しても、清掃し難った。
そこで、箱内の清掃が楽な走査型シリンジ載置台を実現することが第２課題となる。
【００１６】
さらに、イメージスキャナを含むシリンジ載置部を移動させるには、強めの駆動力を出せる駆動源に加えて、その動力を伝達しうる丈夫な駆動機構・伝動機構も、設ける必要があるため、機械部さらには箱体が大きくなりがちである。
しかも、シリンジ載置部を作業性の良い前後方向に移動させるには、駆動機構・伝動機構をシリンジ載置部の両脇に配置することになるが、クリーンベンチ等の狭い空間内で作業する場合には、横幅が広いほど作業の邪魔になる傾向がある。
そこで、横幅の狭い走査型シリンジ載置台を実現することが第３課題となる。
【００１７】
また、薬剤は無色透明のものばかりでなく色の着いたものもあるが、有色の薬剤を収容したシリンジの液量を、走査型シリンジ載置台を組み込んだシリンジ計量システムで計測する場合、黒いシリンジの目盛やパッキン（密封部材）の背景が無色透明な薬剤の測定時よりも黒っぽくなって、両者の明度の差が小さくなるため、シリンジの目盛やパッキンの画像が抽出できなかったり抽出できても測定精度が低下したりすることがある。
そこで、有色の薬剤を収容したシリンジでも箱体内で液量を正確に測定できるようにすることが第４課題となる。
【課題を解決するための手段】
【００１８】
本発明の走査型シリンジ載置台は（解決手段１）、上述した第１課題を解決するために創案されたものであり、上面にシリンジ載置面を有する下側の本体部と前記シリンジ載置面を遮光しうる上側の蓋部とからなる箱体と、前記本体部の中で走査するイメージスキャナにて前記シリンジ載置面の上の計量対象シリンジを撮る撮像手段と、前記本体部に設けられた駆動部と、その駆動力を前記蓋部に伝達して前記蓋部を移動させることで前記シリンジ載置面の開閉を行う蓋部移動機構とを備えたものである。
【００１９】
また、本発明の走査型シリンジ載置台は（解決手段２）、上述した第１課題に加えて第２課題をも解決するために創案されたものであり、上記解決手段１の走査型シリンジ載置台であって、前記蓋部移動機構が過負荷時には前記本体部の側の部分と前記蓋部の側の部分とに分離するようになっていることを特徴とする。
【００２０】
さらに、本発明の走査型シリンジ載置台は（解決手段３）、上述した第１課題に加えて第３課題をも解決するために創案されたものであり、上記解決手段１，２の走査型シリンジ載置台であって、前記蓋部移動機構のうち前記本体部の側の部分が前記本体部の上面側に配設され、前記蓋部移動機構のうち前記蓋部の側の部分が前記蓋部の下面側に配設されていることを特徴とする。
【００２１】
また、本発明の走査型シリンジ載置台は（解決手段４）、上述した第１課題に加えて第４課題をも解決するために創案されたものであり、上記解決手段１〜３の走査型シリンジ載置台であって、前記シリンジ載置面を上から照らす透過用照明具が前記本体部の上面側に設けられていることを特徴とする。
【００２２】
また、本発明のシリンジ計量システムは（解決手段５）、上記解決手段１〜４のうち何れか一つの走査型シリンジ載置台と、前記撮像手段で得た撮影画像からシリンジの目盛画像を検出する画像認識手段と、前記画像認識手段で検出した目盛画像に基づいてシリンジ内の液量の推定値を算出する液量算出手段とを備えたシリンジ計量システムであって、計量対象のシリンジに係る既知情報をデータ保持していて、その情報に基づいて前記蓋部移動機構による前記蓋部の移動長を可変するようになっていることを特徴とする。
【発明の効果】
【００２３】
このような本発明の走査型シリンジ載置台にあっては（解決手段１）、遮光用の箱体を継承しつつ蓋部を移動させるようにしたことにより、シリンジ載置部を含む本体部を固定したままでも、シリンジ載置面の開閉を行うことができる。しかも、イメージスキャナや駆動部といった比較的重い電気物・電動物を本体部に配したことにより、蓋部が軽量化されるばかりか電線接続等が不要で簡素化なものになるので、蓋部が移動時でもあまり振動しないで安定状態を保つうえ、駆動部や蓋部移動機構まで小形化しうることとなる。
したがって、この発明によれば、シリンジ載置部を移動させずにシリンジ載置面を軽快に開閉しうる走査型シリンジ載置台を実現することができて、第１課題が解決される。
【００２４】
また、本発明の走査型シリンジ載置台にあっては（解決手段２）、過負荷時に蓋部移動機構が本体部側部分と蓋部側部分と分かれるようにしたことにより、蓋部の移動に支障が生じて駆動負荷が過大になったときは、蓋部が無理に動いて本体部やシリンジに衝撃を与えるといった不所望な事態を回避することができる。また、過負荷に匹敵する力で蓋部を持ち上げる等のことで簡単に、蓋部を本体部から取り外せるので、シリンジ載置面に限らず箱体の内面の他部位まで露出状態させて清掃することができる。
したがって、この発明によれば、シリンジ載置部を移動させずにシリンジ載置面を軽快に開閉しうるうえ箱内の清掃が楽な走査型シリンジ載置台を実現することができて、第１課題に加えて第２課題までも解決される。
【００２５】
さらに、本発明の走査型シリンジ載置台にあっては（解決手段３）、蓋部移動機構を下側の本体部と上側の蓋部との境目に寄せたことにより、蓋部の軽量化も相まって、箱体の高さは別としても、箱体の横幅が縮小することとなる。
したがって、この発明によれば、シリンジ載置部を移動させずにシリンジ載置面を軽快に開閉しうるうえ横幅の狭い走査型シリンジ載置台を実現することができて、第１課題に加えて第３課題までも解決される。
【００２６】
また、本発明の走査型シリンジ載置台にあっては（解決手段４）、イメージスキャナに内蔵されている標準撮影用の直接照明・反射照明の他に、シリンジ載置面を上から照らす背景強調用の透過用照明具も設けたことにより、標準撮影用照明による下から上への照明では照射から撮影までに有色の薬剤に二回以上吸収されて目盛背景画像部分の撮像に不足する光量が、有色薬剤での吸収が一回で済む上から下への透過用照明光によって補われることから、目盛背景画像部分がさほど黒くならないので、シリンジの目盛やパッキンの画像が的確に抽出されることとなる。
したがって、この発明によれば、シリンジ載置部を移動させずにシリンジ載置面を軽快に開閉しうるうえ有色の薬剤を収容したシリンジでも箱体内で液量を正確に測定しうる走査型シリンジ載置台を実現できて、第１課題に加えて第４課題までも解決される。
【００２７】
また、本発明のシリンジ計量システムにあっては（解決手段５）、シリンジ載置面の開閉のために蓋部を移動させるようにしたことに加え、その移動長が計量対象のシリンジの既知情報に基づいて可変されるようにもしたことにより、シリンジ載置面開閉時の蓋部の無駄な移動を減らすことができる。そのため、シリンジ載置面開閉時の待ち時間が短縮されて、その分だけ調剤作業の能率が向上する。
【図面の簡単な説明】
【００２８】
【図１】本発明の実施例１について、走査型シリンジ載置台の構造を示し、（ａ）が蓋部を後退させてシリンジ載置面を解放したところを左上前から見た外観斜視図、（ｂ）が蓋部を外したところを右上前から見た外観斜視図である。
【図２】計量対象となるシリンジを示し、（ａ）が斜視図、（ｂ）が側面図、（ｃ）が分解状態の側面図である。
【図３】本発明の実施例１について、基本的な単独型のシリンジ計量システムの構造を示し、（ａ）が平机の上に置いた状態の外観斜視図、（ｂ）が走査型シリンジ載置台などをキャビネットに収めた状態の外観斜視図、（ｃ）が走査型シリンジ載置台に加えて読取装置などもキャビネットに収めた状態の外観斜視図である。
【図４】基本的な単独型のシリンジ計量システムのブロック図である。
【図５】シリンジとその画像の例であり、（ａ）が中ほどまで水剤を吸入したシリンジとその画像、（ｂ）が満杯近くまで水剤を吸入したシリンジとその画像、（ｃ）がパッキンの画像である。
【図６】走査型シリンジ載置台の動作等を示し、（ａ）〜（ｃ）が何れも走査型シリンジ載置台の外観斜視図である。
【図７】同じく走査型シリンジ載置台の動作等を示し、（ａ），（ｂ）が何れも走査型シリンジ載置台の外観斜視図、（ｃ）がシリンジ載置部の縦断左側面図である。
【図８】本発明の実施例２について、実用的な分散型のシリンジ計量システムのブロック図である。
【発明を実施するための形態】
【００２９】
このような本発明のシリンジ計量システムについて、好適な実施の形態を幾つか説明する。
【００３０】
実施形態１のシリンジ計量システムは、上述した解決手段５のシリンジ計量システムであって、前記撮像装置で得た撮影画像からシリンジのパッキン画像を抽出する手段と、前記パッキン画像に基づいてシリンジのパッキン径を推定する手段と、計量対象のシリンジのパッキンの径が分かるパッキン径データを記憶保持する手段とを備え、前記パッキン径の推定値と前記パッキン径データとを照合して差違が許容範囲から外れていれば前記液量算出手段の算出値を計量結果に採用するのを控えるようになっていることを特徴とする。
【００３１】
このような実施形態１にあっては、撮影画像からパッキン画像さらにはパッキン径の推定値が取得され、その推定値とパッキン径データとの照合結果に基づいて液量の推定値の採否ひいてはシリンジ選定の適否が判定されるようにしたことにより、目盛画像に基づく推定にとどまる場合よりも、計量値の信頼性が高まる。
そのため、目盛の刻み状態の似た異径のシリンジでも手軽に使えて正確に計量できるシリンジ計量システムを実現することができる。
【００３２】
実施形態２のシリンジ計量システムは、上述した実施形態１のシリンジ計量システムであって、前記パッキン画像の抽出後、前記パッキン径の推定に先立って、前記パッキン画像に対してプランジャ側の輪郭を直線に近づける画像処理を施すようになっていることを特徴とする。
この形態では、抽出したパッキン画像に基づくシリンジのパッキン径の推定に際して、推定前に、プランジャ側の輪郭を直線に近づける画像処理がパッキン画像に施されるようにしたことにより、シリンジの撮影対象部位のうち載置面から遠くて暈け易い横側・脇腹の部分の画像から暈けの影響が排除されるので、パッキン径の推定精度が向上する。
【００３３】
このような本発明の走査型シリンジ載置台およびそれを具備したシリンジ計量システムについて、これを実施するための具体的な形態を、以下の実施例１〜２により説明する。
図１〜図７に示した実施例１は、上述した解決手段１〜５（出願当初の請求項１〜５）を総て具現化したものであり、図８に示した実施例２は、その拡張例である。
なお、それらの図示に際しては、簡明化等のため、詳細な機械図面や電子回路図などは図示を割愛し、ブロック図を多用した。
【実施例１】
【００３４】
本発明の走査型シリンジ載置台の実施例１について、その具体的な構成を、図面を引用して説明する。
図１は、（ａ）が蓋部４２を後退させて本体部４１のシリンジ載置面（１７）を解放した走査型シリンジ載置台４０を左上前から見た外観斜視図、（ｂ）が本体部４１から蓋部４２を外した走査型シリンジ載置台４０を右上前から見た外観斜視図である。
【００３５】
また、図２は、計量対象のシリンジ６の一例を示しており、（ａ）が斜視図、（ｂ）が側面図、（ｃ）が分解状態の側面図である。
さらに、図７（ｃ）は、計量対象のシリンジ６を本体部４１のシリンジ載置部１７＋１９に載せてから蓋部４２を閉めて箱体４１＋４２の中に収めた走査型シリンジ載置台４０の縦断左側面図とそれに載置されているシリンジ６の左側面図である。
【００３６】
走査型シリンジ載置台４０は（図１参照）、計量対象のシリンジ６（図２参照）を収める内部空間を眩光や外乱光から遮る直方体状の箱体４１＋４２（図１，図７（ｃ）参照）と、箱体４１＋４２の開閉やシリンジ６の撮像といった計量動作を操作にて開始させるためのスターター４３（図１（ｂ）参照）と、箱体４１＋４２の内部空間でシリンジ６を撮るために箱体４１＋４２に収められたシリンジ載置部１７＋１９及び透過用照明具４５（図１，図７（ｃ）参照）と、箱体４１＋４２の開閉時に蓋部４２を前後に移動させる蓋部移動機構５０及び駆動部５３（図１参照）と、図示しない専用の又は共用の電源や制御回路とを具えている。
【００３７】
箱体４１＋４２は（図１参照）、下側の本体部４１と上側の蓋部４２とに分かれており、本体部４１の上に装着された蓋部４２が蓋部移動機構５０の駆動によって前後方向に移動して、本体部４１の上面を開閉するようになっている。可動側の蓋部４２は、軽量化のため、板金等で作られ、蓋部移動機構５０のうち受動部品だけからなる蓋部側部分５２が装備されている。重量品など大半の部材は固定側の本体部４１に装備されており、具体的には、シリンジ載置部１７＋１９と透過用照明具４５と透過用照明具４５と蓋部移動機構５０の本体部側部分５１と駆動部５３とが本体４１に装備されている。電源と制御回路も専用なら本体部４１に装備されている。
【００３８】
スターター４３は、調剤者の操作に応じて計量動作開始用の信号を発生するとともに、それを本体部４１の制御回路に送信できる操作部材であれば、メカニカルスイッチ等の接触式部材でも良く、近接センサ等の非接触式部材でも良い（例えば特許文献３参照）。また、本体部４１に固定的に装備しても良いが、この例では、箱体４１＋４２とは別体にされ、さらに本体部４１と有線接続されて（図１（ｂ）参照）あるいは無線にて制御回路に信号を送るようにされて（図示せず）、本体部４１に掛け置きしたり（図１（ｂ）参照）、本体部４１の脇の机上面といった調剤者の手元に置いたり、本体部４１を置いた机の下方といった調剤者の足下に置いたりなど（図示せず）、操作し易い適宜な場所に置けるようになっている。
【００３９】
シリンジ載置部１７＋１９は（図１，図７（ｃ）参照）、透明部材１７と撮像装置１９とを上下に配置して、その上に計量対象のシリンジ６を横置きできるようにしたものであり、透明部材１７は本体部４１の上面の中央部分のうち少し前寄りの所に配置され、撮像装置１９は透明部材１７の下に配置されて本体部４１の中に収まっている。
透明部材１７は、上面が計量対象のシリンジ６を載せ置くシリンジ載置面であり、そのシリンジ６を透明部材１７の下から撮ることができるように例えば無色透明な板ガラス等からなり、シリンジ６の針装着部６ａや目盛６ｂの部分（図２参照）より広い平坦面であり、その上に計量対象のシリンジ６を安定な横向き姿勢で載せて置くことができるよう、シリンジ６の長手方向となる前後方向には水平になっており（図１参照）、シリンジ６の径方向となる左右方向には少し例えば５゜ほど右下がり傾斜しており、更に透明部材１７のシリンジ載置面の傾斜下方である右方にはシリンジ受止部材４４が設けられている。
【００４０】
シリンジ受止部材４４は（図１（ａ）参照）、透明部材１７の上面に立設されて、前後に延びており、計量対象のシリンジ６が透明部材１７のシリンジ載置面の上に置かれて傾斜下方の右方へ転がると、そのシリンジ６を当接にて受け止めることで、シリンジ６の位置を決めるとともに姿勢を安定させるようになっている。シリンジ受止部材４４の高さは、シリンジ位置決めの観点から最大シリンジの半径以上になっており、シリンジ受止部材４４の長さは、透明部材１７の前後方向の長さと同じかそれより少し短くなっている。
このシリンジ受止部材４４と上述の透明部材１７については（図１，図７（ｃ）参照）、シリンジ６のフランジ６ｃによるシリンジ６の姿勢の不安定化を避けるために、前側部分に、フランジ６ｃとの干渉を避ける逃げが形成されている。
【００４１】
撮像装置１９は（図１，図７（ｃ）参照）、走査型のイメージスキャナが採用されていて、透明部材１７の下で前後に走査することで、透明部材１７のシリンジ載置面の上に置かれた計量対象のシリンジ６のうち走査範囲に入った部分を下から見上げる形で撮るので、シリンジ６が目盛６ｂを下に向けた姿勢で透明部材１７に載置されていれば、目盛６ｂがその周囲も含めて撮像されるようになっている。イメージスキャナは、組込用に市販されている汎用品で良く、撮影対象のシリンジ６を固定したまま撮影できればセンサ搭載キャリッジ移動式でもセンサ固定ミラー移動式でも良いが、透明部材１７との関係でフラッドベッドスキャナが使い易い。スキャナの原稿読取面が端の直ぐ近くまで及んでいる場合は、スキャナの原稿読取面をそのままシリンジ載置面として利用することができるので、透明部材１７をスキャナの原稿載置部材に兼ねさせることで、透明部材１７をスキャナとは別に設けるのを省くことが可能であるが、そうでない場合は、シリンジ６のフランジ６ｃを逃がす段差形成のため、上述のように透明部材１７を撮像装置１９の上方に設ける。
【００４２】
透過用照明具４５は（図１（ｂ）参照）、例えば発光効率の良いＬＥＤ照明が採用されているが、照明斑が生じるのを防止するために、多数のＬＥＤ光源が分散配置されるとともに透過式の拡散板で覆われている。透過用照明具４５は、透明部材１７に沿わすようにして本体部４１の上面に配置されて、斜め上を向いているが、拡散板の光散乱作用と蓋部４２の内面反射とによって、透明部材１７を上から明るく且つ斑なく照明するようになっている。そして、走査型シリンジ載置台４０は、シリンジ載置面上のシリンジ６をイメージスキャナにて下から照明してその反射光を撮像に用いるとともに、そのシリンジ６を透過用照明具４５にて上から照明してその透過光も撮像に用いるものとなっている。
【００４３】
蓋部移動機構５０は（図１参照）、駆動モータや駆動回路などの能動部品を含んだ駆動部５３と共に本体部４１に装備された本体部側部分５１が、蓋部４２の前後方向の移動経路を形成しており、この本体部側部分５１には、上記の移動経路を形成する部材や、駆動部５３の駆動力を蓋部側部分５２に伝達する伝動部材といった受動部品が装備されている。そのうち少なくとも移動経路形成部材や伝動部材は本体部４１の上面に配設されており、この例では透明部材１７の右脇に設けられている。
これに対し、蓋部移動機構５０のうち蓋部４２に装備された蓋部側部分５２は、蓋部４２の内側のうち下面と側面などに配設されて、本体部側部分５１の伝動部材に対応した伝動部材や、図示しない移動円滑化用の車輪あるいは滑動部材、といった受動部品が装備されているが、重いうえ電気配線等を要する能動部品は装備されていない。
【００４４】
また、この蓋部移動機構５０では、本体部側部分５１と蓋部側部分５２との連結部分に磁石や磁性体が採用されていて（図１破線部分参照）、常態では伝動に必要な連結状態が磁気結合によって維持されるが、必要以上の力が作用すると、部材が損傷する前に磁気結合が失われて、蓋部移動機構５０が本体部側部分５１と蓋部側部分５２とに分離するようになっている。さらに、蓋部移動機構５０は（図１参照）、駆動部５３で発生した駆動力を本体部側部分５１から蓋部側部分５２に伝達して蓋部４２を本体部４１の上で前後移動させることにより、シリンジ載置面（１７）の開閉を行うものとなっている。そして、前後移動させられる蓋部４２は、後退した開状態では、シリンジ６の外筒部分を載せ置くシリンジ載置面である透明部材１７の上面を解放し、前進した閉状態では、シリンジ６のプランジャ６ｄが前方へ突き出すための前面開口を除き、シリンジ載置面（１７）の周囲を覆うことで、シリンジ６の目盛６ｂの撮影に必要な遮光を行うものとなっている。
【００４５】
走査型シリンジ載置台４０の制御回路は、ハードウェアとしては内蔵の専用回路でも外付けの共用マイクロプロセッサでも他の電子回路でも良く、機能として、スターター４３と他のリミットスイッチ等の信号を入力することと、外部の後述する情報処理装置１２から指令を受け取ることと、駆動部５３の電動モータを制御して蓋部移動機構５０に進退動作を行わせることと、撮像装置１９を動作させて撮った画像データを情報処理装置１２へ送信することとを行うようになっていれば良い。この例では、蓋部移動機構５０の前進動作による蓋部４２の前方移動の完了時に撮像装置１９を動作させるようになっているが、情報処理装置１２の指令に応じて撮像装置１９を動作させるようにしても良い。
【００４６】
また、この制御回路による蓋部移動機構５０の進退制御には、スターター４３の操作検出に応じて行われる独立モードと、外部からの指令に応じて行われる従属モードと、両モード併用モードとが設けられており、モード設定にて選択されたモードが有効になる。
独立モード選択状態では、接触の又は非接触の操作がスターター４３によって検出される度に、蓋部４２が後退状態であればそれを前に移動させる前進動作を蓋部移動機構５０に開始させ、蓋部４２が前進状態であればそれを後ろに移動させる後退動作を蓋部移動機構５０に開始させるようになっている。
【００４７】
これに対し、従属モードでは、スターター４３の操作検出信号を情報処理装置１２へ送信するとともに、外部から後退指令を受けると蓋部移動機構５０に後退動作を開始させ、外部から前進指令を受けると蓋部移動機構５０に前進動作を開始させ、外部から反転指令を受けると、蓋部４２が後退状態であれば蓋部移動機構５０に前進動作を開始させ、蓋部４２が前進状態であれば蓋部移動機構５０に後退動作を開始させるようになっている。なお、何れのモードでも、基本的に、前進は前進位置リミットスイッチがオンになるかタイムアウトするまで行わせ、後退は後退位置リミットスイッチがオンになるかタイムアウトするまで行わせるようにもなっている。
【００４８】
もっとも、この制御回路は、蓋部移動機構５０の後退動作の制御について、その開始時までに蓋部４２の移動長を可変する指定データが取得できていれば、後退位置リミットスイッチがオンになる前であっても指定の移動長の後退が実行された時点で又は実行されたと推定される時点で、後退動作を止めるようにもなっている。蓋部４２の移動長を可変する指定データについては、初期設定された固定値や後に手動操作で変更された設定値でも良いが、ここでは、外部の後述する情報処理装置１２からの指令に上記の指定データが含まれていれば、それを受け取る度にそれで設定値を上書き変更するが、情報処理装置１２からの指令に指定データが含まれていなければ後退位置リミット値を設定するようになっている。
【００４９】
上述した走査型シリンジ載置台４０を具備した本発明のシリンジ計量システムの実施例１について、その具体的な構成を、図面を引用して説明する。
【００５０】
図３は、基本的な単独型のシリンジ計量システム１０の構造を示し、（ａ）が平机の上に置いた状態の外観斜視図、（ｂ）が走査型シリンジ載置台４０やシリンジ６及び供給容器４などを安全キャビネットに収める一方で読取装置１１や普通紙の調剤指示箋２などを机上に置いた状態の外観斜視図、（ｃ）が走査型シリンジ載置台４０やシリンジ６及び供給容器４に加えて読取装置１１や無塵紙の調剤指示箋２などもキャビネットに収めた状態の外観斜視図である。
【００５１】
また、図４は、シリンジ計量システム１０のブロック図である。さらに、図５は、シリンジ計量システム１０を用いた計量の対象となるシリンジ６とその画像の例であり、（ａ）が中ほどまで水剤（薬剤）を吸入したシリンジ６とその撮影画像および目盛画像とを示し、（ｂ）が満杯近くまで水剤を吸入したシリンジ６とその撮影画像および目盛画像とを示し、（ｃ）がパッキン輪郭Ｇ直線化度の異なる三つのパッキン画像である。
【００５２】
このシリンジ計量システム１０は（図３参照）、上述した走査型シリンジ載置台４０に加えて、読取装置１１と情報処理装置１２と通知装置１３とを具えたものであり、人肌に着いたりしても害の無い薬剤をシリンジ６に吸い込んで計量するような場合には単に平机の上に置いても良いが（図３（ａ）参照）、被ばく忌避薬剤をシリンジ６に吸い込んで計量するような場合には（図３（ｂ），（ｃ）参照）、走査型シリンジ載置台４０と計量対象のシリンジ６と望ましくは薬剤の供給容器４も、キャビネット内に収められる。情報処理装置１２と通知装置１３は、この例では、コンパクト化のために、一体化されている。
【００５３】
読取装置１１は（図３参照）、印刷された調剤指示箋２やその他の情報担体から、調剤内容や調剤者などを特定するバーコードや数字などの識別情報を読み取るためのものであり、安価なバーコードリーダが普及しているが、ＯＣＲや非接触ＩＣカードリーダ等でも良い。この例では、情報処理装置１２にケーブル接続された手持式の装置を図示したが、サイズとコストが適うのであれば、印刷物をかざすだけで読み取る操作不要なタイプの装置が使い易い。読取装置１１の機能は、情報処理装置１２の入力機能などで代用や併用することも可能なので、読取装置１１は省くことも可能なものである。
【００５４】
情報処理装置１２は、本体に表示画面を一体化した小形で軽量なタブレットコンピュータが使いやすいが、他の形態のコンピュータでも良く、初期設定やエラー処理などのために指示やデータを入力するときに必要に応じてキーボードやマウス等をケーブル接続するものでも良いが、表示画面がタッチパネルになっているものの方が便利である。情報処理装置１２は、後述する各種のプログラムやデータを記憶保持するために、ハードディスク等の記憶装置を内蔵しており、処方箋データやマスタデータ等の必要なデータをダウンロードするために、無線ＬＡＮ接続ポートと通信回路と通信プログラムを装備している。
【００５５】
通知装置１３は、調剤作業を遂行している調剤者に情報を提示するためのものであり、上述した情報処理装置１２の表示画面が、視覚利用の情報提示を行えるので好適であるが、それと併用される又はそれに代わる聴覚利用のスピーカといった音響機器でも良い。
図示の例では走査型シリンジ載置台４０が情報処理装置１２や通知装置１３と別ユニットになっており、走査型シリンジ載置台４０だけをキャビネットに収めることが可能になっているが（図３（ｂ）参照）、そのような走査型シリンジ載置台４０の収納が不要な場合は、情報処理装置等１２，１３を走査型シリンジ載置台４０の上などに取り付けて一体化しても良く（図示せず）、さらには操作性向上等のため走査型シリンジ載置台４０に対して前や横などから情報処理装置等１２，１３を着脱できるようにしても良い。
【００５６】
情報処理装置１２にインストールされたプログラムによって具現化される各手段と、情報処理装置１２のハードディスク等の記憶手段に保持されたデータとを説明する（図４参照）。予め多数のデータを登録した参照用データとしては、薬品マスタと部材マスタと解析データがあり、何れもキー検索等に適したデータベースで構成されている。
薬品マスタは、各種の薬剤に係る薬品コードと薬品名と容量単位と比重と供給容器の種類と収容薬剤量といった情報をデータ保持しており、解析データは、調剤手順や作業内容を決めるのに役立つ調剤パターンをデータ保持しており、特に供給容器４から水剤（薬剤）をシリンジ６で抜き取って他の薬剤と混合する混注手順の決定時に有用なデータを含んでいる（例えば特開２００４−２０８８４２号公報を参照）。
【００５７】
部材マスタは（図４参照）、計量対象になりうる各種のシリンジ６（図２参照）に係る目盛と内容量などの既知情報をデータ保持しており、特に、目盛間隔データと目盛総数データとパッキン厚データとパッキン径データはシリンジの種類毎に登録されており、目盛画像の検出や間隔比較・本数比較・パッキン径比較のときに参照される。さらに、部材マスタは、上述した蓋部４２の移動長を可変するときに情報処理装置１２から走査型シリンジ載置台４０へ送信される指定データの値を決めるのに必要な既知情報として、各種のシリンジ６について、針装着部６ａとフランジ６ｃとの間に位置して目盛６ｂが刻まれている外筒部分の長さを、例えばｍｍ単位の数値データで、保持している。
【００５８】
目盛間隔は、計量対象のシリンジ６に付された目盛６ｂのピッチであり、例えば、ｍｍ単位の実測値や、撮影画像において隣り合っている目盛画像間の画素数などで表される。
目盛総数データは、計量対象のシリンジ６に付された目盛６ｂの総数が分かるデータであり、文字通り目盛６ｂの総本数で表される他、例えば目盛６ｂの列長で表されることもある。パッキン厚データは、シリンジ６のパッキン６ｅの厚みに相当する目盛数が分かるデータであり、例えば、パッキン厚ｔのｍｍ単位での実測値や、それを目盛６ｂのピッチで割って整数化した本数などで表される。
【００５９】
パッキン径データは、計量対象のシリンジ６のパッキン６ｅの外径であるパッキン径ｄが分かるデータであり、特にパッキン６ｅのうちシリンジ内周面に当接して密封機能を発揮する部位に係るデータ値である。大抵はパッキン６ｅの外径実測値群の平均値がそのまま採用されるが、シリンジへの挿入時の縮径が無視できないほど大きい場合には、使用状態のパッキン径ｄとしてシリンジ内径の実測値（ｄ）が採用されることもある。
なお、比較データについては後述する。
【００６０】
調剤作業等の進行に応じて処理されるトランザクションデータ的なデータとしては（図４参照）、処方箋データと調剤指示データと比較データなどがあり、これらは、メインメモリやハードディスク等の記憶手段に適宜割り振られてデータ保持されている。
処方箋データは、処方箋の内容・情報を電子データ化したものであり、処方箋データを集中管理している処方オーダエントリシステムや（例えば特開２００４−２０８８４２号公報を参照）、印刷された処方箋を読み取って電子データ化する図示しない処方箋受付装置、タッチパネル等の操作入力装置などから、通信回線等を介して又は直に入力されて、先入れ先出しの順番でも識別番号等での順不同でも取り出せる待ち行列に繋ぎ込まれるようになっている。
【００６１】
調剤指示データは（図４参照）、各患者の処方箋データからシリンジ計量システム１０での計量対象部分や支援対象部分を抽出したデータであり、基本的にＲＰ単位（施用単位）で纏められ、一つ又は複数のＲＰ単位データが含まれている。このような調剤指示データには、薬品名と処方量とが含まれており、そのうち薬品名には水剤の名称が一つ以上含まれている。また、処方量は、ｍＬやｍｇ等の容量単位で指示されていることもあれば、個数や本数などの供給容器単位で指示されることもある。水剤抜取に使用するシリンジの種類と本数と各シリンジ毎の液量（水剤抜取量・水剤注入量）も、処方箋データに含めることが可能であり、それらのシリンジ指定データは、処方箋発行時など調剤開始前に指定された場合、その指定値がそのまま調剤指示データに含められるが、指定されなかった場合には、後述するようにデータ選出手段によって自動算定されるようになっている。
【００６２】
情報処理装置１２の高速アクセス可能なメインメモリには（図４参照）、撮像装置１９で撮った撮影画像を保持するデータ領域や、撮影画像からシリンジ６の目盛６ｂの画像を抽出した目盛画像を保持するデータ領域、更には撮影画像からシリンジ６のパッキン６ｅの画像を抽出したパッキン画像を保持するデータ領域が、確保されている。
情報処理装置１２にインストールされたプログラムによって具現化された手段としては（図４参照）、データ取得手段とデータ選出手段と作業案内手段と画像認識手段と液量算出手段と間隔比較手段と目盛数推定手段と本数比較手段とパッキン径推定手段とパッキン径比較手段と蓋部移動機構制御手段とが挙げられる。
【００６３】
データ取得手段は、上述した待ち行列から先頭の処方箋データを取り出して、上述したようにシリンジ計量システム１０での計量対象部分や支援対象部分を抽出し、さらにシリンジ指定データが指定されていればそれも抽出して、調剤指示データを作成するようになっている。なお、処方オーダエントリシステム等の上位システムとシリンジ計量システム１０との中間に、調剤装置群管理システム等の中位システムが介在していて、処方箋データがそのまま情報処理装置１２に入力されるのでなく、必要部分を抽出した調剤指示データになってから情報処理装置１２に入力される場合、データ取得手段は、入力された調剤指示データを一つづつ取り出して、次の処理に供するだけで良い。何れにしろ、データ取得手段は、作業案内手段の利用に適うよう調剤指示データを整えるようになっている。
【００６４】
データ選出手段は、作業案内手段の要求に応じて調剤指示データを調べ、それに基づいて、抜取対象の水剤の処方量やそれを収容している供給容器４，４に関する収容薬剤量などの諸元データを薬品マスタから抽出するとともに、調剤指示データにシリンジ指定データが未だ含められていなければ、部材マスタを調べて使用可能なシリンジの種類を選出し、更に本数と各シリンジ毎の液量も運用規定に従って算定し、それをシリンジ指定データとして調剤指示データに含ませるようになっている。
【００６５】
また、データ選出手段は、そのシリンジに係る諸元データを部材マスタから抽出することも行うようになっている。特に、シリンジにおける目盛刻印用外筒部分の長さの値が部材マスタから得られたときにはその値を後述の蓋部移動機構制御手段に速やかに引き渡すようになっている。さらに、データ選出手段は、解析データを検索して、該当する調剤パターンを選出し、それらのデータを作業案内手段に引き渡すようになっている。また、データ選出手段は、使用するシリンジに係る諸元データのうち、目盛間隔データと目盛総数データとパッキン厚データとパッキン径データとを比較データとして間隔比較手段や本数比較手段さらにはパッキン径比較手段に供するようになっている。
【００６６】
作業案内手段は、作業開始時に先ず調剤者を特定するために識別コードの入力を通知装置１３にて調剤者に促し、読取装置１１での調剤者カード等の読取やタッチパネルでの操作入力等で調剤者が特定されると、次に、調剤内容を確定するために処方箋か調剤指示箋の識別情報の入力を通知装置１３にて調剤者に促し、これに応じて調剤指示箋２の読取データや他の情報担体の読取データが読取装置１１から入力されて、その読取データから処方箋番号や調剤指示箋番号などの識別情報が得られたり操作入力等で処方箋データが特定されると、その情報をデータ取得手段に渡して調剤指示データの作成を要求するようになっている。
【００６７】
また、作業案内手段は、調剤指示データの作成後、データ選出手段に要求して、抜取対象の水剤とその供給容器４，４に係るデータや，使用するシリンジ６に係るデータ，それらに該当する調剤パターン等を選出させるようになっている。さらに、その調剤パターンに基づいて混注手順などの調剤手順や作業内容を決め、それらを調剤支援のため通知装置１３に提示させるようになっている。具体的には、抜取対象の水剤を収容している供給容器４，４の名称や画像と、使用するシリンジ６の呼び寸法的な呼び方たとえばシリンジ５ｍｌや画像と、そのシリンジ６で抜き取るべき水剤の名称と処方量とを通知装置１３に提示させるが、その際、複数個のシリンジ６が使用される場合にはシリンジ６の画像も複数個を並べて提示し、供給容器４も複数個であれば複数個を並べて提示するようになっている。
【００６８】
さらに、作業案内手段は、シリンジ６を使用した水剤抜取作業とそれに続く走査型シリンジ載置台４０での計量作業とを文字と画像とで通知装置１３に提示させて調剤者に促し、後述する液量算出手段等から有効な計量結果が得られると、それを通知装置１３に提示させて調剤者に通知するという作業支援を、シリンジ６の使用個数の回数だけ繰り返すようになっている。しかも、その繰り返しにおける各回の水剤抜取作業と計量作業の完了は、計量結果が間隔比較手段でも本数比較手段でも更にはパッキン径比較手段でも有効とされたことで判定されるので、調剤支援の提示が調剤者の手や足を煩わすことなく自動で作業進行に同期して更新されることとなる。なお、調剤指示データで指示されていれば、その指示に応じて、シリンジ６で抜き取った水剤を図示しない供給容器に注入する混注についても作業支援するようになっている。また、後述する間隔比較手段やパッキン径比較手段からシリンジ６の使用に誤りのあることを知らされたときには、シリンジ６の取り替えを通知装置１３の提示にて調剤者に促すようにもなっている。
【００６９】
画像認識手段は、撮像装置１９で撮られてメインメモリの該当データ領域に書き込まれた撮影画像から、予め固定的に設定された或いは画像状態に応じて動的に絞り込んだ画像処理対象領域を切り出し、その画像処理対象領域について例えばぼかしや細線化などの適宜な前処理を施してシリンジ６の目盛６ｂの画像を検出するようになっている。そして、そのような目盛画像が検出されると、直線化や補完さらには位置ずれ修正などの後処理も施して、目盛画像が一列に並んだ目盛画像のイメージデータを作り上げるようになっている（図５（ａ），（ｂ）参照）。
【００７０】
また、画像認識手段は、検出した目盛画像が等間隔で並んでいる目盛連続部分Ａ，Ｃと、該間隔より広い範囲（図示の例では目盛６ｂ四本分以上の範囲）で目盛画像が抜け落ちている目盛抜落部分Ｂとを区分けするとともに、目盛連続部分Ａ，Ｃについては、目盛画像のピッチを測って、目盛画像間隔値（等間隔の部分の間隔情報）を得るようになっている。さらに、画像認識手段は、撮像装置１９で撮ったままの撮影画像か少なくとも目盛検出用前処理を施される前の撮影画像のうち目盛抜落部分Ｂに対応する部分画像をパッキン画像として抽出するようにもなっている（図５（ｃ）参照）。
【００７１】
液量算出手段は（図４参照）、目盛連続部分Ａ，Ｃのうち目盛抜落部分Ｂよりシリンジ６の針装着部６ａ側に位置する目盛連続部分Ａに属する目盛画像の数を数え上げて（図５（ａ），（ｂ）参照）、その本数に基づいてシリンジ６内の液量の推定値を算出するようになっている。目盛６ｂは液量がゼロの所から一定間隔で記されているので、目盛連続部分Ａに属する目盛画像の数から“１”を減じた数に、水剤抜取に使用され撮像装置１９で撮られたシリンジ６に係る目盛と内容量の情報の一つである一目盛当たりの内容量を乗じることで、シリンジ６の吸入量すなわちシリンジ６での水剤抜取量を得るものとなっている。
【００７２】
間隔比較手段は（図４参照）、データ選出手段の選出情報の一つの目盛間隔データと、画像認識手段の検出値の一つの目盛画像間隔値（等間隔の部分の間隔情報）とについて、単位がｍｍか画素数の何れかで揃っていることを前提として又は揃えたうえで、両者を比較し、その差違が撮影画像の拡縮変動等を考慮した所定の許容範囲に収まっていればシリンジ６が適切なものであると判定するが、両者の差違が上記の許容範囲から外れていればシリンジ６が不適なものである判定する。そして、適切の判定時には、液量算出手段の算出値の有効性を直ちには否定しないで本数比較手段の判別結果に委ねるが、不適の判定時には、本数比較手段の判別結果に拘わらず液量算出手段の算出値を無効にするとともに、シリンジ６の使用に誤りのあることを作業案内手段に伝達するようになっている。
【００７３】
目盛数推定手段は（図４参照）、目盛連続部分Ａ，Ｃの目盛画像の並びから（図５（ａ）参照）目盛抜落部分Ｂに属する目盛の数を推定するものであり、具体的には、例えば、上述した画像認識手段の検出値の一つの目盛画像間隔値（等間隔の部分の間隔情報）で目盛抜落部分Ｂの幅を除し、その整数部分から“１”を減じることで、目盛数推定値を算出するようになっている。
【００７４】
本数比較手段は（図４参照）、目盛数推定手段によって算出された目盛抜落部分Ｂに属する目盛推定数と、データ選出手段によって選出されたパッキン厚データから直ちに又は換算にて分かるパッキン厚み相当の目盛数とを比較する。また、目盛連続部分Ａ，Ｃの目盛画像の数とパッキン厚データから分かるパッキン厚み相当の目盛数との和と、データ選出手段によって選出された目盛総数データから直ちに又は換算にて分かるシリンジ６の目盛６ｂの総数とを比較する。そして、何れの比較でも差違が許容範囲内にとどまっていれば本数が適切と判定するがそうでなければ本数が不適と判定し、適切の判定時には、液量算出手段の算出値の有効性を直ちには否定しないでパッキン径比較手段の判別結果に委ねるが、不適の判定時には、パッキン径比較手段の判別結果に拘わらず液量算出手段の算出値を無効にするとともに、シリンジ６の使用に誤りのあることを作業案内手段に伝達するようになっている。
【００７５】
なお、上述した二つの比較手法は、式の変形の観点からは等価と言えるものなので、何れか一方を行うだけでも良いが、チェックの主対象が目盛画像のうち目盛抜落部分Ｂなのか目盛連続部分Ｃなのかという点では相違するので、この例では念入りに両比較が行われる。また、本数比較は、針装着部６ａ側の目盛連続部分Ａとフランジ６ｃ側の目盛連続部分Ｃとその中間の目盛抜落部分Ｂとが総て検出されたときに（図５（ａ）参照）役目を果たせるものなので、シリンジ６での水剤抜取を満杯になるまで許容する運用下では（図５（ｂ）参照）、満杯に近づくと目盛連続部分Ｃが検出されなくなるので、その場合は比較や無効処理を差し控える動作モードを設定できるようにもなっている。
【００７６】
パッキン径推定手段は（図４参照）、先ず、画像認識手段によって抽出されたパッキン画像が目盛抜落部分Ｂに対応していてシリンジ６のパッキン６ｅの画像が含まれていること等に基づき、パッキン画像に対して（図５（ｃ）参照）、パッキン６ｅの両端面のうちプランジャ側のものであるパッキン端面６ｇに係るパッキン輪郭Ｇを直線に近づける画像処理を施す。例えば、パッキン画像が多値のままであれば二値化の閾値を多段階に適用したり、それに加えて又はそれに代えてパッキン画像が多値のままであれ二値化後であれ微分等の先鋭化処理と平均化等の暈かし処理とを適宜回数だけ繰り返したりして、幾つか（図では３個）の候補画像を作成する。それから、候補画像それぞれについてパッキン輪郭Ｇの直線度を算出し、その中から直線度の最も良い画像（図では中央の画像）を選出して、その選出画像からパッキン径相当長を算出し、その算出値を計量対象のシリンジ６のパッキン径ｄに対するパッキン径推定値Ｄとするようになっている。
【００７７】
パッキン径比較手段は（図４参照）、パッキン径推定手段によって算出されたパッキン径推定値Ｄと、データ選出手段によって選出されたパッキン径データから直ちに又は換算にて分かるパッキン径ｄ（図２（ｃ）参照）とについて、単位がｍｍか画素数の何れかで揃っていることを前提として又は揃えたうえで、両者を比較し、その差違が撮影画像の拡縮変動等を考慮した所定の許容範囲に収まっていればシリンジ６が適切なものであると判定するが、両者の差違が上記の許容範囲から外れていればシリンジ６が不適なものである判定する。そして、適切の判定時には、液量算出手段の算出値を有効とするがそうでなければ液量算出手段の算出値を無効にするようになっている。
【００７８】
蓋部移動機構制御手段は（図４参照）、走査型シリンジ載置台４０からスターター４３の信号を受け取るとともに、それに応じて蓋部移動機構５０の進退制御に係る指令を作成して走査型シリンジ載置台４０へ送信することで、走査型シリンジ載置台４０の制御回路が従属モードであっても、スターター４３によって調剤者の操作が検出される度に、蓋部４２が後退状態であれば蓋部移動機構５０に前進動作を開始させ、蓋部４２が前進状態であれば蓋部移動機構５０に後退動作を開始させるようになっている。また、蓋部移動機構制御手段は、その指令送信までに計量対象のシリンジ６における目盛刻印用外筒部分の長さの値がデータ選出手段から引き渡されていたときには、その値をそのまま又はそれに余裕分を加味した値を、蓋部４２の移動長可変の指定データに採用して、走査型シリンジ載置台４０への送信指令に含めることにより、計量対象のシリンジに係る既知情報に基づいて蓋部移動機構５０による蓋部４２の移動長を可変するようになっている。
【００７９】
この実施例１のシリンジ計量システム１０及び走査型シリンジ載置台４０について、その使用態様及び動作を、図面を引用して説明する。
図６と図７は、走査型シリンジ載置台４０の動作等を示し、図６（ａ），（ｂ），（ｃ），図７（ａ），（ｂ）が何れも載置台４０の外観斜視図であり、図７（ｃ）が計量対象のシリンジ６を載置したシリンジ載置部１７＋１９の縦断左側面図である。
【００８０】
シリンジ計量システム１０は、薬局調剤室等に固定設置して使用することも、携帯して病棟病室等を渡り歩きながら立ち寄った各所で使用することも可能であるが、読取装置１１と情報処理装置１２と通知装置１３と走査型シリンジ載置台４０とを組にした計量セットは、小形軽量化されているので、携帯容易であり、調剤作業の邪魔になることもない（図３（ａ）参照）。
【００８１】
また、走査型シリンジ載置台４０は、遮光のため箱体４１＋４２に収められているが、スターター４３が近接センサ等の非接触式操作部材であれば手を翳す等のことで、またスターター４３が押しボタン等の接触式操作部材であっても例えば足下に置いて足で押す等のことで、箱体４１＋４２には接触しないでも操作できので、キャビネット内で抗癌剤などを計量するといった調剤作業にも（図３（ｂ），（ｃ）参照）、手軽かつ安全に使用されるものとなっている。
【００８２】
シリンジ計量システム１０を利用して水剤（薬剤）の計量を行う調剤作業の一例を述べると、先ず診察病棟等で処方箋が発行されるが、その後、その処方箋データが処方オーダエントリシステム等を介して調剤装置群管理システムや情報処理装置１２の待ち行列に入れられるとともに、調剤装置群管理システム等によって調剤指示箋２が印刷される。そして、調剤指示箋２に基づき薬局部門で薬剤師等によって調剤指示箋２で指定された水剤の供給容器４，４と水剤抜取に用いるシリンジ６が取り揃えられ、それらの調剤指示箋２と供給容器４，４とシリンジ６は、トレー等で纏められて一組の水剤抜取セット２〜６となり、無菌室や病室といった調剤場所に運ばれる。
【００８３】
調剤場所には計量セットであるシリンジ計量システム１０が予め設置されているか、水剤抜取セット２〜６と同様にシリンジ計量システム１０も調剤場所に運び込まれる。こうして調剤作業に使用するものが揃うので、調剤者は、前面開口を塞ぐ防塵板４６が走査型シリンジ載置台４０に装着されているときには（図６（ａ）参照）、それを外し、それから、シリンジ計量システム１０を電源投入等にて起動させると、蓋部４２が後退していた場合は自動で蓋部４２が前進して待機状態になるが（図６（ｂ）参照）、任意のタイミングでシリンジ載置面（１７）を開閉したいときは、スターター４３を操作して、蓋部４２を後退させたり（図６（ｃ）参照）、前進させたりする（図６（ｂ）参照）。
【００８４】
そして、基本的には待機状態（図６（ｂ）参照）から水剤抜取セット２〜６に係る調剤作業を開始する。
具体的には、先ず、通知装置１３の提示にて調剤者の識別コードの入力が促されるので、調剤者は読取装置１１等を用いて自身の識別コードを情報処理装置１２に入力する。そうすると、その識別コードの読取に応じて、情報処理装置１２が調剤者を特定する。その調剤者特定情報はサーバ２１でのデータロギングや監査支援装置２２での監査支援に供される他、作業遂行権限のチェックにも使われる。
【００８５】
調剤者の特定が済むと、通知装置１３の提示にて処方箋か調剤指示箋の識別情報の入力が促されるので、調剤者は再び読取装置１１等を用いて調剤指示箋２から識別情報を読み取らせる。そうすると、その識別情報の読取に応じて、情報処理装置１２が調剤指示データを作り上げるとともに、抜取対象の水剤とその供給容器４，４に係るデータや，使用するシリンジ６に係るデータ，それらに該当する調剤パターン等を選出し、その調剤パターンに基づいて混注手順などの調剤手順や作業内容を決める。そして、それらの名称や画像と、シリンジ６で抜き取るべき水剤の名称と処方量とが、通知装置１３にて提示される。その際、複数個のシリンジ６が使用される場合にはシリンジ６の画像も複数個が並んで提示され、供給容器４も複数個であれば供給容器４の画像も複数個が並んで提示されるので、調剤者は、通知装置１３の提示と現物の水剤抜取セット２〜６とを見比べて確認する。
【００８６】
また、シリンジ６を使用した水剤抜取作業とそれに続く走査型シリンジ載置台４０での計量作業も情報処理装置１２が決め、その作業内容が文字と画像で通知装置１３に提示されるので、調剤者は、通知装置１３の提示を参照しながら、供給容器４から水剤を指示された量だけシリンジ６で抜き取る。それから、走査型シリンジ載置台４０が待機状態であって（図６（ｂ）参照）、蓋部４２が前進状態であり、シリンジ載置面（１７）が閉じられいるときには、調剤者はスターター４３を操作する。
【００８７】
そうすると、スターター４３の操作結果が走査型シリンジ載置台４０から情報処理装置１２へ送信されるとともに、それに対して蓋部移動機構５０への後退指令と蓋部４２の移動長可変の指定データが有ればそれも付加した指令が情報処理装置１２から走査型シリンジ載置台４０へ返信されるので、それに応じて走査型シリンジ載置台４０では蓋部移動機構５０が後退動作を開始し、それに伴って蓋部４２が後退し、シリンジ載置面（１７）のうち計量対象のシリンジ６の外筒部分を載置するのに十分な長さの前側部分が、解放される（図６（ｃ）参照）。
【００８８】
蓋部移動機構５０の後退動作が止まって蓋部４２が後退位置で静止したら、調剤者が、プランジャ６ｄを摘まんでシリンジ６を持ち上げてから、透明部材１７の手前の逃げ段差にフランジ６ｃを遊挿しながら、目盛６ｂの刻まれた外筒部分を透明部材１７の上に載せることで、手指等を走査型シリンジ載置台４０に接触させることなく計量対象のシリンジ６をシリンジ載置面（１７）に載せ置く。その際、シリンジ６がシリンジ受止部材４４から離れていると透明部材１７の傾斜シリンジ載置面を転動してからシリンジ受止部材４４に当接して静止するが、その静止状態でシリンジ６の目盛６ｂが下方の撮像装置１９を向くように、シリンジ載置面上に横たわるシリンジ６の姿勢を整える（図７（ａ）参照）。それから調剤者は再びスターター４３を操作する。
【００８９】
そうすると、今度は、その操作結果が走査型シリンジ載置台４０から情報処理装置１２へ送信され、それに対してシ蓋部移動機構５０への前進指令が情報処理装置１２から走査型シリンジ載置台４０へ返信され、それに応じて走査型シリンジ載置台４０では蓋部移動機構５０が前進動作を行い、それに伴って蓋部４２が前進してシリンジ載置面（１７）を閉じるので、シリンジ載置面上のシリンジ６の外筒部分が、箱体４１＋４２の中に収まって、周囲を覆われる（図７（ｂ）参照）。
【００９０】
なお、このような蓋部４２の進退動作の途中で、過負荷を招く不具合が生じると、蓋部移動機構５０の本体部側部分５１と蓋部側部分５２とが分離して、本体部側部分５１が移動しても蓋部側部分５２ひいては蓋部４２が移動しなくなる状態で伝動が断たれるので、過負荷による大きな損傷などは適切に回避される。また、蓋部移動機構５０での伝動が断たれると、蓋部４２の進退動作が完了せず、そのことがリミットスイッチに基づくタイムアウト等にて検出されて通知装置１３等に提示されるので、それを見ることで、調剤者は、走査型シリンジ載置台４０の不具合を速やかに把握することができる。
【００９１】
そのような不具合が生じることなく、蓋部４２の前進動作が完了して、計量対象のシリンジ６が走査型シリンジ載置台４０の中に収まると（図７（ｂ）参照）、透過用照明具４５から発した散乱光が直に又は蓋部４２の内面等で反射されてからシリンジ載置面上に向かうので、計量対象のシリンジ６が上方から下方へ進んでシリンジ６を透過する光によって斑なく照らされる。また、そのような透過用照明具４５によるシリンジ６への透過照明が行われている間に、撮像装置１９のイメージスキャナによる下からの直接照明・反射照明と撮像とが計量対象のシリンジ６に対して行われる（図７（ｃ）参照）。このように計量対象のシリンジ６に対して目盛６ｂ刻印側への直接照明に加えて目盛６ｂ非刻印側への透過照明もなされるので、シリンジ６に収容されている薬剤が無色透明であればもちろん有色半透明であっても、撮像装置１９で撮ったシリンジ６の撮影画像には目盛もパッキンも明瞭に写り込む（図５（ａ），（ｂ）参照）。
【００９２】
さらに、その撮影画像が走査型シリンジ載置台４０から情報処理装置１２にデータ送信され、後ほど詳述するが、その撮影画像に基づく画像認識等の自動処理によってシリンジ６の液量が計測されるとともに適否判定もなされて、その計量結果と判定結果が通知装置１３にて提示される。
そして、その判定結果の適否に応じて、不適の場合は、通知装置１３の提示にて水剤抜取の遣り直しや抜取量の微調整が促されるので、それに応じて調剤者は水剤抜取作業と計量作業を遣り直す。
【００９３】
これに対し、情報処理装置１２によって計量が適切であると判定されると、通知装置１３の提示にてその旨が調剤者に知らされるとともに、水剤抜取を行うべきシリンジ６が未だ残っていれば、未使用のシリンジ６を使用した水剤抜取作業とそれに続く走査型シリンジ載置台４０での計量作業が通知装置１３の提示にて促されるので、調剤者は水剤抜取作業と計量作業を繰り返す。シリンジ計量システム１０によって催促された繰り返し回数だけ調剤者が水剤抜取作業と計量作業を繰り返すと、一組の水剤抜取セット２〜６に係る調剤作業が完了するとともに、その作業に際して自動収集されたデータが、ログデータに蓄積されるとともに、監査者による調剤結果の確認に際して監査支援に使用される。
【００９４】
こうして調剤された水剤は、調剤指示に従ってシリンジ６に収容されたまま又は供給容器等に注入されて調剤場所から監査場所へ運ばれ、監査後、施用場所へ運ばれる。なお、病室等の施用場所で上述した調剤作業が行われる場合は、水剤抜取セット２〜６の取り揃え後に監査を済ませておくことにより調剤場所と監査場所と施用場所との間で水剤抜取セット２〜６を移動させることなく水剤の抜取から施用まで速やかに行うことができる。なお、走査型シリンジ載置台４０を暫く使用しないときや、キャビネット内をアルコール消毒するときには、埃やアルコール等が走査型シリンジ載置台４０の内部に入り込むのを防止するために、蓋部４２を前進させて防塵板４６を着けておく（図６（ａ）参照）。
【００９５】
最後に、シリンジ６に収容されている水剤の液量の計測について詳述する。上述のようにして、シリンジ６が目盛６ｂを下に向けて透明部材１７のシリンジ載置面の上に載せ置かれ（図７（ｃ）参照）、それを下から撮る撮影が撮像装置１９によって実行されると、情報処理装置１２では、シリンジ６の撮影画像が得られ（図５（ａ），（ｂ）参照）、その撮影画像から画像認識手段によって目盛画像（図５（ａ），（ｂ）参照）やパッキン画像（図５（ｃ）参照）が抽出されるとともに、シリンジ６内の液量の推定値が液量算出手段によって算出され、さらにその算出値の適否が三つの比較手段によって判定される。
【００９６】
具体的には、情報処理装置１２では、画像認識手段によって、目盛画像の並びが針装着部６ａ側の目盛連続部分Ａとプランジャ６ｄ側の目盛連続部分Ｃとその間の目盛抜落部分Ｂとに区分けされ（図２，図５（ａ）参照）、目盛連続部分Ａ，Ｃにおける目盛画像のピッチから目盛画像間隔値（等間隔の部分の間隔情報）が求められる。
さらに、情報処理装置１２では、液量算出手段によって、針装着部６ａ側の目盛連続部分Ａに属する目盛画像の本数が数えられ、その本数に基づいてシリンジ６内の液量の推定値が算出され、この液量算出手段の算出値が計量結果の候補となる。
【００９７】
それから、情報処理装置１２では、間隔比較手段によって、現物のシリンジ６に係る目盛画像間隔値と調剤指示による目盛間隔データとの比較と適否判定が行われ、適切の判定時には、液量算出手段の算出値の有効性がとりあえず維持されて液量算出手段の算出値の計量結果への採否が本数比較手段の判別結果に委ねられるが、不適の判定時には、本数比較手段の判別結果に拘わらず液量算出手段の算出値が無効にされて計量結果への採用が控えられるうえ、更にシリンジ６の使用に誤りのあることが間隔比較手段から作業案内手段に伝えられて通知装置１３にて調剤者に提示される。
【００９８】
また、情報処理装置１２では、液量算出手段の算出値の有効性判別が間隔比較手段から本数比較手段に委ねられと、現物のシリンジ６に係る目盛抜落部分Ｂに属する目盛の数を示す目盛数推定値が目盛数推定手段によって算出され、その目盛推定数と調剤指示に対応したパッキン厚み相当の目盛数とが本数比較手段によって比較される。それに加え、本数比較手段によって、目盛連続部分Ａ，Ｃの目盛画像の数と調剤指示に対応したパッキン厚み相当の目盛数との和と、調剤指示に対応した目盛総数データから分かる目盛総数との比較も行われる。
【００９９】
そして、何れの比較でも差違が許容範囲内にとどまっていれば、本数が適切と判定されるが、そうでなければ本数が不適と判定され、適切の判定時には、液量算出手段の算出値の有効性がとりあえず維持されて液量算出手段の算出値の計量結果への採否がパッキン径比較手段の判別結果に委ねられるが、不適の判定時には、パッキン径比較手段の判別結果に拘わらず液量算出手段の算出値が無効されて計量結果への採用が控えられるうえ、更にシリンジ６の使用に誤りのあることが本数比較手段から作業案内手段に伝えられて通知装置１３にて調剤者に提示される。
【０１００】
さらに、情報処理装置１２では、パッキン径推定手段によって、パッキン画像に対してパッキン輪郭Ｇを直線化する画像処理が施されるとともに直線度最良画像の選出が行われて（図５（ｃ）参照）、両側部分でシリンジ６の半径とほぼ等しい距離だけシリンジ載置面から浮き上がっているパッキン６ｅに係るパッキン画像について浮き上がりの悪影響が緩和・除去される。そして、パッキン端面６ｇに係るパッキン輪郭Ｇが最も直線に近い選出画像（図では中央の画像）から、シリンジ６のパッキン径ｄに対するパッキン径推定値Ｄが算出される。
【０１０１】
パッキン径推定値Ｄの算出後、情報処理装置１２では、パッキン径比較手段によって、パッキン径推定値Ｄとパッキン径データとが比較され、その差違が撮影画像の拡縮変動等を考慮した所定の許容範囲に収まっていればシリンジ６が適切なものであると判定されるが、両者の差違が上記の許容範囲から外れていればシリンジ６が不適なものである判定される。そして、適切の判定時には、液量算出手段の算出値が有効とされるが、不適の判定時には、液量算出手段の算出値が無効にされて計量結果への採用が控えられるうえ、更にシリンジ６の使用に誤りのあることがパッキン径比較手段から作業案内手段に伝えられて通知装置１３にて調剤者に提示される。
【０１０２】
こうして、情報処理装置１２では、液量算出手段の算出値の有効性が本数比較手段でも維持され間隔比較手段でも維持されパッキン径比較手段でも維持されたときだけ、液量算出手段の算出値が、有効な計量結果として作業案内手段に引き渡され、通知装置１３にて調剤者に提示される。
しかも、調剤者がシリンジ６を走査型シリンジ載置台４０に載せて撮影を開始させれば、後は自動でシリンジ６に収容されている水剤の液量が計測されるので、調剤者は、簡便かつ迅速に的確な計量作業を行うことができる。
【実施例２】
【０１０３】
本発明のシリンジ計量システムの実施例２について、その構成等を、図面を引用して説明する。図８は、実用的な分散型のシリンジ計量システム２０のブロック図である。
この分散型のシリンジ計量システム２０が上述した単独型のシリンジ計量システム１０と相違するのは、分散型に変形されたうえで、一部機能が追加されたことである。
【０１０４】
具体的には、読取装置１１と情報処理装置１２と通知装置１３と走査型シリンジ載置台４０とを組にした計量セットが複数・多数になっている点と、各セットの情報処理装置１２と無線ＬＡＮで交信するサーバ２１が追加された点と、処方箋データと薬品マスタと解析データと部材マスタといったデータベースがサーバ２１に移設されてそれを各情報処理装置１２が無線ＬＡＮ経由で参照するようになった点と、ＣＰＵ負荷の大きい混注解析の処理もサーバ２１に移設されて各情報処理装置１２は混注解析については処理の依頼と結果利用だけ行うようになった点である。
【０１０５】
また、サーバ２１が調剤指示箋２の印刷を行うようになっている点と、各情報処理装置１２と無線ＬＡＮで交信する監査支援装置２２が追加された点と、各情報処理装置１２にデータ収集手段がインストールされて計量処理の進行状況や画像データが各情報処理装置１２で随時収集されるとともに無線ＬＡＮ経由でサーバ２１と監査支援装置２２に送信されるようになった点と、そのデータをサーバ２１がログデータとして蓄積し監査支援装置２２が監査者の監査作業の支援に利用するようになった点も、相違している。
これら両システム１０，２０の相違は、要するに集中処理か分散処理かという点と、ロギングや監査支援といった付加機能の有無なので、繰り返しとなる説明は割愛する。
【０１０６】
［その他］
上記実施例では、情報処理装置１２と走査型シリンジ載置台４０とがケーブル接続式の別体になっていたが、これらは、機械的に一体化されていても良く、その際、完全な一体化や固定的な連結に限らず、着脱式・開閉式・折曲式・引出式など可動的に連結されていても良い。
上記実施例では、プログラムで具体化された各手段とプログラムモジュールとが一対一になっているプログラム構成例を図示したが、プログラムのモジュール化その他の構成態様は図示の例に限定されるものでなく、各手段の名称と機能との対応も限定されるものでなく、必要な機能が情報処理装置１２によって発揮されるようになっていれば良い。データベースについても、同様であり、適宜な組み合わせで統合しても良い。
【０１０７】
上記実施例では、適否確認用の識別情報読取が調剤指示箋２に対してしか行われなかったが、供給容器４やシリンジ６に識別情報が付されている場合は、それについても読取装置１１や撮像装置１９にて識別情報読取を行えば情報処理装置１２が適否確認を行うようにしても良い。
上記実施例では、撮像装置１９の撮像開始タイミングが、蓋部４２の前進完了後になっていたが、前進を完了してから更に所定の整定時間・安定待ち時間が経過したタイミングにしても良く、前進動作に連動するのでなく、明示のタイミング例えばスターター４３かそれとは別の接触式の又は非接触式の操作部材を調剤者が操作したとき等にしても良い。
【０１０８】
上記実施例では、走査型シリンジ載置台４０が待機状態でスターター４３を操作されるとそれに応じて蓋部４２の後退と蓋部４２の移動長可変の指定データ等の送受信とが行われるようになっていたが、スターター４３を操作を待たないで、データや動作の準備が調ったら直ちに蓋部４２の移動長可変の指定データ等の送受信と蓋部４２の後退とが行われるようにしてもよい。
上記実施例では、開状態で蓋部４２が後退状態のときにスターター４３を操作されるとそれに応じて蓋部４２を前進させるようになっていたが、走査型シリンジ載置台４０がシリンジ６の載置待ち状態であるときには、スターター４３が操作されないでも、計量対象のシリンジ６の載置とその後の整定とを適宜なセンサ等で検出したら自動で蓋部４２の前進や撮像装置１９の撮像を開始するようにしても良い。
【産業上の利用可能性】
【０１０９】
本発明の走査型シリンジ載置台は、キャビネット内で使用したときの不満を契機として開発されたものであり、そのような使用状況での要求を良く満たすものであるが、操作性や計測性能の向上といった利点がキャビネット内使用時に限らずキャビネット外使用時も有効なので、キャビネット内外で有用である。
本発明の走査型シリンジ載置台およびシリンジ計量システムは、水剤を収容した供給容器からシリンジにて水剤を抜き取って計量する作業であれば適用可能かつ有益であり、抜き取った水剤はシリンジに収めたまま施術に利用しても良く、他の水剤や散薬などに混合させても良い。
【符号の説明】
【０１１０】
２…調剤指示箋、４…供給容器、６…シリンジ（注射筒）、
６ａ…針装着部、６ｂ…目盛、６ｃ…フランジ、６ｄ…プランジャ（押子）、
６ｅ…パッキン（密封部材）、６ｆ…凸面部、６ｇ…パッキン端面（プランジャ側）、
１０…シリンジ計量システム（単独型）、
１１…読取装置、１２…情報処理装置、１３…通知装置、
１７…透明部材（載置面，シリンジ載置部）、１９…撮像装置（シリンジ載置部）、
２０…シリンジ計量システム（分散型）、２１…サーバ、２２…監査支援装置、
４０…走査型シリンジ載置台、
４１…本体部、４２…蓋部、４３…スターター、
４４…シリンジ受止部材、４５…透過用照明具、４６…防塵板、
５０…蓋部移動機構、５１…本体部側部分、５２…蓋部側部分、５３…駆動部、
Ａ…目盛連続部分（針装着側）、Ｂ…目盛抜落部分（パッキン陰）、
Ｃ…目盛連続部分（フランジ側）、Ｄ…パッキン径推定値（シリンジ内径推定値）、
Ｇ…パッキン輪郭（プランジャ側）、ｔ…パッキン厚、ｄ…パッキン径
【図１】
2016047145.tif 000003
【図２】
2016047145.tif 000004
【図３】
2016047145.tif 000005
【図４】
2016047145.tif 000006
【図５】
2016047145.tif 000007
【図６】
2016047145.tif 000008
【図７】
2016047145.tif 000009
【図８】
2016047145.tif 000010